(57)【特許請求の範囲】
【請求項１】
前後左右に並んだ複数のポット５ａを有するトレイ６と、左右方向のポット５ａのピッチの２倍を１ピッチとしてトレイ６を右から左に間欠的に送る播種コンベア１１と、隣り合った左右の２列のポット５ａごとに種子を順に点播する２列のノズル１７Ｌ，１７Ｒを備え、１つのトレイ６のポット５ａの列数がノズルの数の整数倍（２ｎ；ｎは自然数）のときには２列づつのポットにノズル１７Ｌ，１７Ｒがｎ回の点播を行い、ポット５ａの列数がノズルの数の整数倍ではない（２ｎ＋１）ときには２列づつのポットにノズル１７Ｌ，１７Ｒがｎ回の点播を行うとともにトレイの右端又は左端のノズル１７Ｌ，１７Ｒの１列のポット列に１列のノズル（１７Ｌ又は１７Ｒ）が最後又は最初に１回の点播を行うように設けられている播種機。
【発明の詳細な説明】
【０００１】
【発明の属する技術分野】
この発明は、トレイの前後左右に並んだ複数のポットに種子を点播する播種機に用いるものである。
【０００２】
【従来の技術】
前後左右に並んだ複数のポットが一体に作られてポットシートとなり、このポットシートがトレイ（苗箱）に入れられている。また、前後左右に並んだ複数のポットがプラスチックで一体に作られてトレイ（セルトレイ）となっている。そのポットに床土を詰め、ポットごとに種子を点播して苗を育成する。この播種作業の能率を向上するため、トレイを播種コンベアで右から左に間欠的に送りながら、複数のノズル列が吸い着けた種子を、左右方向の複数列（２列）づつのポット内に同時に点播するようになっている。
【０００３】
【発明が解決しようとする課題】
１つのトレイにおけるポットの左右方向の列数が上記のノズル列数の整数倍でないとき、複数列（２列）のノズル列のうち一部のノズル列の点播による種子が無駄になる欠点があった。
【０００４】
【課題を解決するための手段】
上記の課題を解決するため、この発明は、前後左右に並んだ複数のポット５ａを有するトレイ６と、左右方向のポット５ａのピッチの２倍を１ピッチとしてトレイ６を右から左に間欠的に送る播種コンベア１１と、隣り合った左右の２列のポット５ａごとに種子を順に点播する２列のノズル１７Ｌ，１７Ｒを備え、１つのトレイ６のポット５ａの列数がノズルの数の整数倍（２ｎ；ｎは自然数）のときには２列づつのポットにノズル１７Ｌ，１７Ｒがｎ回の点播を行い、ポット５ａの列数がノズルの数の整数倍ではない（２ｎ＋１）ときには２列づつのポットにノズル１７Ｌ，１７Ｒがｎ回の点播を行うとともにトレイの右端又は左端のノズル１７Ｌ，１７Ｒの１列のポット列に１列のノズル（１７Ｌ又は１７Ｒ）が最後又は最初に１回の点播を行うように設けられている播種機とした。
【０００５】
【実施例】
つぎに、この発明の実施例を説明する。
土詰機１、播種機２、覆土機３および潅水機４が右から順に並んで播種装置となっている（図１）。
前後と左右にそれぞれ８個と１６個（又は１７個）が並んだ台形のポット５ａがパルプで一体に作られてポットシート５となり、トレイ（苗箱）６に入っている（図３、図４）。なお、前後左右に並んだ転倒した台形（又は角錐形）の複数のポットがプラスチックで一体に作られているトレイ（セルトレイ）を用いることができる。
【０００６】
土詰機１がつぎのように構成されている。３個の土詰部７が土詰コンベア８の上に左右に並べて設けられ、土詰コンベア８で右から左に送られるトレイ６内のポット５ａ内に、その上面の孔から順に土を詰めるように出来ている。すなわち、それぞれの土詰部７は、ホッパー７ａと、時計回りに旋回してその中の床土を薄い層で繰り出す平ベルト７ｂと、トレイ６内に落下した余分の床土を掻き落す均平ブラシ７ｃを備えている。オーガ９が土詰コンベア８の下に設けられ、トレイ６に入らないで落下した床土を中央に集めて箱１０内に回収するように出来ている。従って、それぞれの土詰部７で、１つのトレイ６に対し、その必要量のほぼ３分の１づつの床土を供給し、左端の均平ブラシ７ｃでポット５ａからあふれた床土を掻き落す。
【０００７】
播種機２がつぎのように構成されている。播種コンベア１１が土詰コンベア８の左に配置されている。このコンベア１１は、ベルト１１ａ（図３）で構成され、周知のように、左右のポット５ａの２ピッチを１ピッチとして間欠的に反時計方向に旋回したり、これよりも高速で同方向に連続して旋回するようになっている。播種部１２が播種コンベア１１の上に設けられ、播種コンベア１１で間欠的に送られているトレイ６のポット５ａ内の床土に種子を１粒づつ点播するように出来ている。
【０００８】
すなわち、図３、図４のように、ホッパ１３内の種子を受ける皿１４が前後方向に長く設けられている。その右の受金１５に前後方向のポット５ａの倍数（１６個）のラッパ状の受部１５ａが前後に並べて設けられている。メタル１６が皿１４の上に配置され、それぞれ前後方向のポット５ａと同数（８個）のノズル１７Ｌ，１７Ｒがこのメタル１６から交互に下に突出している。このメタル１６は、シリンダ１８からピストンロッド１８ａが出没すると、案内棒１９の摺動とアーム２０の揺動で上下しながら揺動し、ノズル１７Ｌ，１７Ｒが皿１４と受部１５ａの上を往復するように出来ている。ポンプ２１（図５）の吸気路２２が途中で吸気路２２Ｌ，２２Ｒの２つに分かれて前者がノズル１７Ｌに達し、後者がノズル１７Ｒに達している。そして、切替弁２３が吸気路２２に設けられ、ノズル１７Ｌ，１７Ｒが皿１４の上に来ると、ポンプ２１の吸引でそれぞれが１粒の種子を引き付け、受部１５ａの上に来ると、吸引が解除されてそれぞれの種子が受部１５ａ内に落下するようになっている。
【０００９】
開閉弁２４Ｌ，２４Ｒがそれぞれの吸気路２２Ｌ，２２Ｒに設けられ、閉じると対応するノズル１７Ｌ又は１７Ｒからの吸気が停止して種子が吸い付かないように出来ている。
一対のピストンロッド２５ａがそれぞれのシリンダ２５から下向に突出し、前後がこれらに取付けられた上枠２６ａと下枠２６ｂが上下に移動するように出来ている。前後方向のポット５ａと同数（８個）の播種管２７Ｌが、そのポット５ａと同じピッチで上枠２６ａと下枠２６ｂに上下に向けて取付けられ、それぞれの右で同数の播種管２７Ｒがポット５ａの左右方向のピッチで取付けられている。手前から奇数番目の受部１５ａおよび偶数番目の受部１５ａがそれぞれの可撓性のチューブ２８で播種管２７Ｌおよび播種管２７Ｒに連結されている。
【００１０】
下端が錐状のそれぞれ８個の作孔具２９が播種管２７Ｒの右で下枠２６ｂに２列に設けられている。
そして、ポット５ａに床土が詰ったトレイ６がベルト１１ａの右端に乗ると、このベルト１１ａの連続旋回で左に送られる。この送りで、左の端のポット５ａが左の作孔具２９の下に来ると、ベルト１１ａの旋回が停止し、前記の間欠的な旋回に移る。ここで播種部１２が作動を開始する。すなわち、上下の枠２６ａ，２６ｂが下降して、作孔具２９が停止中の左端およびその次の列のポット５ａに突入し、それぞれの床土に播種孔を作って上昇する。つぎにベルト１１ａが旋回し、上記のポット１５ａが播種管２７Ｌ，２７Ｒの下に来た所でその旋回が停止する。すると、上下の枠２６ａ，２６ｂが下降して播種管２７Ｌ，２７Ｒの下端が前記のそれぞれの播種孔に入るとともに、それぞれの作孔具２９が左から第３列および第４列のポット５ａに入ってこれらの床土に播種孔を作る。併せて、ノズル１７Ｌ，１７Ｒが皿１４の種子をそれぞれ１粒づつ吸い付け、受部１５ａ上に運んでその中に落す。それぞれの種子は、チューブ２８を通って播種管２７Ｌ，２７Ｒに入り、それぞれの下端から前記の播種孔に播かれる。この繰り返しによってそれぞれのポット５ａに対する点播が終了すると、ベルト１１ａが連続旋回に移り、そのトレイ６をつぎの覆土機３に送る。
【００１１】
なお、播種管２７Ｌ，２７Ｒの下端部および作孔具２９の下端部は、上下に移動自在に設けてばね又は重力で押し下げられている。そして、上下の枠２６ａ，２６ｂの下降でポット５ａの播種孔やその床土に当ったときには共に下降するが、硬いトレイ６に当ったときには、当ったものだけがその位置から下降しないように出来ている。
【００１２】
検出器３０が播種部１２の右に設けられ、これに送り込まれるトレイ６の左右のポット５ａの数を検出するように出来ている。その検出結果が制御装置（図示していない）に入力され、制御装置の出力で上記の播種の回数と開閉弁２４Ｒの開閉がつぎのように行なわれる。
すなわち、検出器３０が検出したポット数が偶数（２ｎ；ｎは正の整数）のときは、ノズル１７Ｌ，１７Ｒがｎ回種子を運んでそれぞれのポット５ａに点播する。そのポットの数が奇数（２ｎ＋１）のときは、ノズル１７Ｌ，１７Ｒがｎ回種子を運んで播種したのち、開閉弁２４Ｒが吸気路２２Ｒを閉じ、ノズル１７Ｌのみが種子を１回受部１５ａに運んで播種を終了する。
【００１３】
左右のポット５ａの数が偶数又は奇数でその数が一定のものを連続して使用することがある。制御盤３１に入力装置を設け、ポット５ａの数を入力すると、検出器３０が不要となる。
覆土機３および潅水機４がつぎのように設けられている。覆土コンベア３２が播種コンベア１１の左に設けられ、播種が終了したトレイ６を載せて左に送るように出来ている。その右と左に、覆土部３３と潅水部３４が設けられてそれぞれが構成されている。
【００１４】
覆土部３３は、ホッパ３３ａ内の覆土をベルト３３ｂで繰り出してポット５ａの上に散布する。その後にブラシ３３ｃが設けられ、余分な土を掻き落すようになっている。掻き落された土およびトレイ６に入らなかった土は、覆土コンベア３２の下の案内板３５で中央に集められ、箱３６で回収される。
潅水部３４は、覆土コンベア３２で送られているトレイ６に上からノズル３４ａで水を散布するように出来ている。あふれた水は、下の案内板３７で受けられ、ホースで排水溝に流される。
【００１５】
【効果】
以上のように、この発明によると、一つのトレイのポット５ａの数がいかなる数であっても、大半の播種が複数列づつ行なわれて能率の良いうえ、ノズルにより播種する種子が無駄にならない。
【図面の簡単な説明】
【図１】  この発明を施した播種装置の正面図
【図２】  その平面図
【図３】  その一部の拡大した正面図
【図４】  その側面図
【図５】  その一部の拡大した側面図
【符号の説明】
５ａ  ポット
６    トレイ
１１    播種コンベア
１７Ｌ  ノズル
１７Ｒ  ノズル
【図１】
0003700304.tif 000002
【図２】
0003700304.tif 000003
【図３】
0003700304.tif 000004
【図４】
0003700304.tif 000005
【図５】
0003700304.tif 000006